(57)【要約】  【課題】  電気掃除機の故障時及びメンテナンス時などに，容易に電動通風機の負荷状態を把握することが可能であり，これにより故障原因の特定を容易に行い得る電気掃除機を提供すること。  【解決手段】  電流センサ９により検出された，電動通風機７に通電される電流値を制御部１０に入力する。前記制御部１０は，前記電流値が予め定められた設定電流値範囲から外れた場合を電流値異常状態として，その発生回数及び最大電流値を記憶部１５に記憶する。温度センサ１１，通風量センサ１２からの検出値も同様に扱われる。【選択図】  図２
2006255112.tif 000002
【特許請求の範囲】
【請求項１】
電動通風機を有する電気掃除機であって，
前記電動通風機の負荷に関する異常状態を検出する異常状態検出手段と，
前記異常状態検出手段の検出履歴に関する異常履歴情報を記憶する異常履歴情報記憶手段と，
を具備してなることを特徴とする電気掃除機。
【請求項２】
前記異常履歴情報記憶手段による記憶情報を出力する記憶情報出力手段を更に具備する請求項１に記載の電気掃除機。
【請求項３】
前記異常履歴情報記憶手段が当該電気掃除機に着脱可能に設けられたものである請求項１又は２のいずれかに記載の電気掃除機。
【請求項４】
前記異常履歴情報記憶手段の記憶情報に基づいて前記電動通風機の疲労状態を推定する疲労状態推定手段を具備する請求項１〜３のいずれかに記載の電気掃除機。
【請求項５】
前記疲労状態推定手段による推定結果を出力する推定結果出力手段を具備する請求項４に記載の電気掃除機。
【請求項６】
前記異常履歴情報に，前記異常状態検出手段による前記異常状態の検出回数が含まれてなる請求項１〜５のいずれかに記載の電気掃除機。
【請求項７】
前記異常状態検出手段が前記電動通風機の温度の異常状態を検出する温度異常状態検出手段を具備する請求項１〜６のいずれかに記載の電気掃除機。
【請求項８】
前記温度異常状態検出手段が，前記電動通風機の温度が予め定められた設定温度を超える異常状態における極大温度を検出するものであり，
前記異常履歴情報記憶手段が，前記温度異常状態検出手段によりその都度検出される前記極大温度のうちの最高値を前記異常履歴情報として記憶してなる請求項７に記載の電気掃除機。
【請求項９】
前記異常状態検出手段が前記電動通風機の通風量の異常状態を検出する通風量異常状態検出手段を具備してなる請求項１〜８のいずれかに記載の電気掃除機。
【請求項１０】
前記通風量異常状態検出手段が，前記電動通風機の前記通風量が予め定められた設定風量範囲から外れる異常状態における極大通風量及び／又は極小通風量を検出するものであり，
前記異常履歴情報記憶手段が，前記通風量異常状態検出手段によりその都度検出される極大通風量のうちの最高値及び／又は極小通風量のうちの最低値を前記異常履歴情報として記憶してなる請求項９に記載の電気掃除機。
【請求項１１】
前記異常状態検出手段が前記電動通風機に通電される電流値の異常状態を検出する電流値異常状態検出手段を具備してなる請求項１〜１０のいずれかに記載の電気掃除機。
【請求項１２】
前記電流値異常状態検出手段が，前記電動通風機に通電される電流値が予め定められた設定電流値範囲から外れる異常状態における極大電流値及び／又は電流値を検出するものであり，
前記異常履歴情報記憶手段が，前記電流値異常状態検出手段によりその都度検出される極大電流値のうちの最高値及び／又は極小電流値のうちの最低値を前記異常履歴情報として記憶してなる請求項１１に記載の電気掃除機。
【発明の詳細な説明】
【技術分野】
【０００１】
本発明は，電気掃除機に関するものであり，特に電気掃除機の故障時，メンテナンス時などに容易に電動通風機の負荷状態を把握することが可能な電気掃除機に関するものである。
【背景技術】
【０００２】
近年，例えば特許文献１等に示されるように，稼働状態の検出機能及び検出結果の記憶機能を有する電気掃除機が開発されている。特許文献１に記載の技術では，パワーノズルの使用頻度の情報，及び吸込口から吸い込まれる塵芥の量の情報等が電気掃除機に内蔵された記憶部にて記憶される。また，それらの記憶情報を蓄積することにより，各家庭における絨毯の占有面とそれ以外の占有面との比率及びそれぞれの面における塵芥の量等を推定する。さらに，その推定結果は電気送風機による吸い込み力を調整するパワーノズルの制御に用いられる。
ところで，電気掃除機において，電動通風機は装置の心臓部ともいうべき重要な構成であり，前記電気掃除機の故障は前記電動通風機の不調に起因するものが多い。また，前記電動通風機の不調は高負荷の状態での駆動が原因である場合が多く，前記電気掃除機に故障が生じたときには，前記電気通風機の負荷を調べるのが重要である。
【特許文献１】特開平０５−１５４０７６号公報
【発明の開示】
【発明が解決しようとする課題】
【０００３】
しかしながら，上述の特許文献１に記載の技術のように，記憶部による記憶情報がパワーノズルの制御に用いられるものであることは確かであるが，そのようなパワーノズルの使用頻度や吸い込まれる塵芥の量といった記憶情報を電動通風機の診断，負荷状態の把握には用いることができず，電動通風機の故障時などにおいて故障原因を特定することが困難であった。
従って，本発明は上記事情に鑑みてなされたものであり，その目的とするところは，電気掃除機の故障時及びメンテナンス時などに，容易に電動通風機の負荷状態を把握することが可能であり，これにより故障原因の特定を容易に行い得る電気掃除機を提供することにある。
【課題を解決するための手段】
【０００４】
上記目的を達成するために本発明は，電動通風機の負荷に関する異常状態を検出し，その検出履歴に関する情報を記憶する記憶部を有する電気掃除機として構成される。
上述のように，電気掃除器が備える電動通風機の故障原因は機械的な磨耗による場合が多く，普段の動作状況から故障原因の診断が可能となる。従って，前記電動通風機の負荷に関する異常を検出する際に，その検出履歴に関する情報（異常履歴情報）を記憶しておくことにより，電気掃除機の故障時及びメンテナンス時などに，容易に電動通風機の動作状況を把握することが可能であり，対応が容易となる。
ここで，前記記憶手段による記憶情報の出力機能を設けておくか，若しくは外部機器で前記記憶情報を読み取り可能とするべく前記記憶手段は当該電気掃除機より着脱可能とするのが望ましい。
尚，前記異常履歴情報は前記電動通風機の疲労状態と深く関わるものである。従って，前記記憶手段による記憶内容を用いて前記電動通風機の疲労状態（例えば，予測寿命など）の推定，つまり自己診断が可能であり，そのような自己診断機能，該自己診断機能による診断結果を出力する出力機能を有する例も考えられる。
【０００５】
尚，前記異常履歴情報の内容については様々なものが考えられるが，前記異常状態の検出回数は特に前記電動通風機の負荷状態の明確な指標となるものであり，これを記録しておくのが望ましい。
また，異常状態として，前記電動通風機の温度異常状態，前記電動通風機による通風量異常状態，前記電動通風機に通電される電流値の異常状態などが考えられる。
例えば，温度が頻繁に通常の温度領域を超えた高温になるようであれば，フィルタが目詰まりを起こしており，排気が適切になされていない等と考えられる。また，前記電動通風機による通風量は，塵芥の吸い込み経路であるホースのゴミ詰まり等の指標なっており，通風量が低い状態は，やはり電動通風機が高負荷で稼働していることを示す。
更に，前記前記電動通風機の温度が設定温度以上である状態における前記温度の極大値（極大温度）を異常状態として検出し，異常発生の度に検出される極大温度のうちの最高値を更新しつつ記憶することも考えられる。前記最高値も前記電動通風機の負荷状態を推定するのに有効なパラメータである。
尚，前記極大温度の最高値と同様に，前記通風量の異常状態が生じる毎に検出される通風量の極大値のうちの最高値，若しくは通風量の極小値のうちの最低値，或いは前記電流値の異常状態が生じる毎に検出される電流値の極大値のうちの最高値，若しくは電流値の極小値のうちの最小値などを記憶することも考えられる。
【発明の効果】
【０００６】
本発明によれば，電動通風機の負荷状態の推定に用いることが可能な，温度異常，通風量異常，電流値異常の発生回数，若しくはそれらの異常発生時における温度の最高値，通風量の最高値若しくは最低値，電流値の最高値若しくは最低値などが記憶部に記憶される。従って，当該電気掃除機の故障時及びメンテナンス時などに，容易に電気掃除機の動作状況を把握することが可能であり，これにより故障原因の特定等の対応を容易に行い得る。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る電気掃除機の概略図，図２は本発明の実施形態に係る電気掃除機の主要部のブロック図，図３は本発明の実施形態に係る電気掃除機の制御部による異常状態の履歴記憶処理を表すフローチャート，図４は本発明の実施形態に係る電気掃除機の制御部による履歴の出力処理を表すフローチャート，図５は本発明の実施例に係る電気掃除機の主要部のブロック図，図６は本発明の実施例に係る電気掃除機による予測寿命の算出方法を説明するグラフである。
【０００８】
以下，図１を参照しつつ，本発明の実施形態に係る電気掃除機について説明する，
図１に示されるように，本発明の実施形態に係る電気掃除機Ａは，本体部１，ホース２，吸込口部３，手元スイッチ部４，手元スイッチ５，延長管６等を有して概略構成される。
前記本体部１は前記電気掃除機Ａの本体であり，電動通風機７（図２参照）を含む主要部が内蔵される。前記本体部１には，前記電動通風機７による通風経路であり塵芥の吸い込み経路であるホース２が着脱可能に取り付けられている。前前記ホース２は，前記吸込口部３を床面に対して摺動させる手動操作用のハンドルである手元スイッチ部４と一体である。該手元スイッチ部４には操作部である手元スイッチ５が設けられており，該手元スイッチ５を介して前記電動通風機７に対する通風要求操作，強度の切換要求操作等の，前記主要部に対する操作入力が可能である。
前記手元スイッチ５からの前記電動通風機７に対する通風要求操作入力がなされると，後述のように前記電動通風機７が駆動され，前記吸込口部３から前記延長管６，前記ホース２を介して前記本体部１に設けられた不図示の排気口までの通風経路が形成される。これにより，前記吸込口部３の周囲に散置された塵芥が前記延長管６，前記ホース２を介して前記本体部１に吸い込まれ，前記排気口の通風経路上流側に設けられたフィルタに吸着保持される。
【０００９】
図２は当該電気掃除機Ａの主要部の構成を示すブロック図である。以下，図２を参照しつつ，当該電気掃除機の主要部について説明する。
図２に示されるように，当該電気掃除機Ａの主要部は，前記手元スイッチ５，前記電動通風機７，駆動回路８，電流センサ９，制御部１０，温度センサ１１，通風量センサ１２，表示部１３，電源１４，記憶部１５，データ入出力部１６等を有する。
前記手元スイッチ５から通風要求操作入力がなされたことを前記制御部１０が検知すると，前記制御部１０は前記駆動回路８に所定の通風制御信号を出力する。前記駆動回路８は，前記制御部１０による前記電動通風機７の通風制御信号を電力に変換し，それを電流として前記電動通風機７に通電することで，前記電動通風機７の駆動を行う。前記駆動回路８により変換され前記電動通風機７に出力（通電）される電流値は前記電流センサ９により常時検出される。また，前記電流センサ９により検出された前記電流値は前記制御部１０に出力され，電流値に関する異常状態（電流値異常状態）の判断（検出の一例）に用いられる。前記電流センサ９及び前記制御部１０が電流値異常状態検出手段の一例である。
【００１０】
前記ホース２における前記電動通風機７による通風量は，前記本体部１における前記ホース２の取り付け箇所付近に設けられた前記通風量センサ１２により検出される。また，前記通風量センサ１２により検出された前記通風量は前記制御部１０に出力され，通風量に関する異常状態（通風量異常状態）の判断（検出の一例）に用いられる。前記通風量センサ１２及び前記制御部１０が通風量異常状態検出手段の一例である。
前記電動通風機７の温度は，前記電動通風機７周辺に設けられた前記温度センサ１１により検出される。また，前記温度センサ１１により検出された前記温度は前記制御部１０に出力され，温度に関する異常状態（温度異常状態）の判断（検出の一例）に用いられる。温度センサ１１及び前記制御部１０が温度異常状態検出手段の一例である。
前記電源１４は当該電気掃除機Ａの各部に電力を供給するものである。前記表示部１３は，前記本体部１若しくは前記手元スイッチ部３等の外面に設けられた液晶パネルである。
前記電流値，前記通風量，前記温度等は前記電動通風機７の負荷状態を示すパラメータであり，前記記憶部１５は，前記制御部１０（異常状態検出手段の一部の一例）が前記電動通風機７の負荷異常を各センサの検出値に基づいて検出した履歴情報（以下，異常履歴情報）を記憶する異常状態検出手段の一例である。
【００１１】
当該電気掃除機Ａでは，前記電流値は予め定められた設定電流値範囲にある場合を正常状態とし，該範囲から外れた場合を異常状態（電流値異常状態）とする。前記制御部１０は，後述のように，前記電流値が前記設定電流値範囲を外れた回数，つまり電流値異常状態が生じた回数を前記記憶部に前記異常履歴情報として記憶する。
また，前記制御部１０（異常状態検出手段，電流値異常状態検出手段の一部の一例）は，前記電流値の変化を観測しつつ，前記電流値が前記設定電流値範囲から外れる電流値異常状態が生じる度に，前記電流値の変化における極大電流値，及び極小電流値を検出する。また，前記制御部１０は，前記設定電流範囲を上回る度に検出される前記極大電流値のうちの最高値を，前記異常履歴情報として前記記憶部１５（異常履歴情報記憶手段の一例）に記憶する。即ち，前記記憶部１５にはそれまでの前記最高値が記憶されており，新たに検出された前記極大電流値がそれまでの最高値を上回る場合，新たに検出された前記極大電流値を新たな最高値として更新記憶する。尚，前記極小電流値についても同様である。
以上は，前記電流センサ９からの検出情報に基づく前記電動通風機７の負荷異常状態に関する検出履歴の記憶についての説明であるが，前記通風量センサ１２（通風量異常状態検出手段の一部の一例）からの検出情報も同様に扱われる。即ち，前記通風量が予め定められた設定通風量範囲を外れた通風量異常状態の発生回数，該通風量異常状態における極大通風量のうちの最高値，極小通風量のうちの最低値を前記異常履歴情報として前記記憶部１５（異常履歴情報記憶手段の一例）に記憶する。
更に，前記温度センサ１１（温度異常状態検出手段の一部の一例）による検出温度が予め定められた設定温度以上になった状態を温度異常状態とし，その温度異常状態の発生回数，及び該温度異常状態における極大温度のうちの最高値が前記異常履歴情報として前記記憶部１５（異常履歴情報記憶手段の一例）に記憶される（低温状態であるのは異常状態とは見なされない）。
前記電流センサ９，前記温度センサ１１，前記通風量センサ１２，前記制御部１０が，前記電動通風機７の負荷に関する異常状態を検出する異常状態検出手段の一例である。
【００１２】
図３は，図３は本発明の実施形態に係る電気掃除機Ａの制御部１０により，異常状態の履歴記憶時に実行されるフローチャートである。以下，図３を参照しつつ，前記異常履歴情報の記憶処理について詳述する。
図３のフローチャートに示されるＳ１，Ｓ２…はステップの番号を表すものであり，当該電気掃除機Ａの電源投入時などに，ステップＳ１の処理から前記制御部１０により開始される。尚，図３のフローチャートは電流が前記設定電流値範囲を外れる異常についての異常検出履歴の記憶処理を表すものであるが，通風量，温度についても同様の処理がなされるものとする。
ステップＳ１では，前記制御部１０は，前記電流センサ９による検出結果に基づいて，検出された電流値が前記設定電流範囲を規定する電流上限値よりも大きいか否かを判別する。前記電流上限値よりも小さいと判別された場合には（Ｓ１ＮＯ）ステップＳ７に進む一方，大きいと判別された場合には（Ｓ１ＹＥＳ）ステップＳ２に進む。
ステップＳ２では，前記制御部１０により前記電流値の変化が観測され，前記極大電流値が検出される。ステップＳ２が終了すると，ステップＳ３に進む。
ステップＳ３では，前記制御部１０により，前記電流値の変化における極大電流値が，記憶部１５に記憶されている以前に検出された電流値のうちの最高値よりも大きいか否かが判別される。
大きいと判別された場合には（Ｓ３ＹＥＳ）ステップＳ４に進む一方，小さいと判別された場合には（Ｓ３ＮＯ）ステップＳ５に進む。
ステップＳ４では，前記制御部１０により，既に前記記憶部１５に記憶されている電流値に代わって前記極大電流値が最高値として更新記憶される。ステップＳ４が終了されると，ステップＳ５に進む。
ステップＳ５では，前記制御部１０により，前記記憶部１５に記憶されている前記電流値異常状態の発生回数に１が加算される。ステップＳ５が終了されると，ステップＳ６に進む。
ステップＳ６では，前記制御部１０により，前記駆動回路８に対する通風制御信号の出力を停止し，これにより前記電動通風機７の駆動を停止する。
【００１３】
ステップＳ７では，前記制御部１０は，前記電流センサ９による検出結果に基づいて，検出された電流値が前記設定電流範囲を規定する電流下限値よりも小さいか否かを判別する。前記電流下限値よりも小さいと判別された場合には（Ｓ７ＮＯ）ステップＳ１１に進む一方，大きいと判別された場合には（Ｓ７ＹＥＳ）ステップＳ８に進む。
ステップＳ８では，前記制御部１０により前記電流値の変化が観測され，前記極小電流値が検出される。ステップＳ８が終了すると，ステップＳ９に進む。
ステップＳ９では，前記制御部１０により，前記電流値の変化における極小電流値が，記憶部１５に記憶されている，以前に検出された電流値のうちの最低値よりも小さいか否かが判別される。
小さいと判別された場合には（Ｓ９ＹＥＳ）ステップＳ１０に進む一方，大きいと判別された場合には（Ｓ９ＮＯ）ステップＳ５に進む。
ステップＳ１０では，前記制御部１０により，既に前記記憶部１５に記憶されている最低の電流値に代わって前記極小電流値が最低値として更新記憶される。ステップＳ１０が終了されると，ステップＳ５に進む。
ステップＳ１１は，当該電気掃除機Ａの制御のうち，電流値異常状態の履歴記憶以外の処理を表している。その中には，前記温度異常状態の履歴記憶，前記通風量異常状態の履歴記憶などが含まれるが，これらの処理は上記の処理と同様に行われるものであるため，説明を省略する。尚，前記温度異常状態は前記設定温度以上の場合に発生したと見なされるものであり，前記温度異常状態の履歴記憶処理では，上述のＳ７〜Ｓ１０に相当する処理は行われない。
ステップＳ１１が終了されると，Ｓ１からの処理を再び繰り返す。
以上のように，前記電動通風機７の負荷状態を表す前記電流値異常状態，前記温度異常状態，前記通風量異常状態の回数，及び電流値，通風量，温度の最高値などが前記記憶部１５に記憶されるので，この情報を元にすれば前記電動通風機７の故障原因の判別等の対応が容易となる。
例えば，前記温度異常状態の発生回数が多いようであれば，温度が頻繁に通常の温度領域を超えた高温になっていることが想定され，フィルタが目詰まりを起こしており，排気が適切になされていない等と考えられる。また，前記電動通風機による通風量の最低値からは，前記排気口に対するゴミ詰まりの程度が判別可能である。また，前記電流値の最高値があまりにも大きい場合には，前記駆動回路８の回路異常を想定することが可能である。
尚，図３に示されるフローチャートについては様々な変形例が考え得る。例えば，ステップＳ６の処理（前記電動通風機７の停止処理）は，異常状態の発生回数が予め定められた極限回数に達した場合にのみ行うものとしても良い。
また，前記設定範囲を規定する上限値よりも遙かに大きい第２の上限値を予め前記制御部１０に設定しておき，例えばステップＳ１とステップＳ２との間に，前記電流センサ９による検出値と前記第２の上限値とを比較する処理を設けることも考えられる。前記検出値が前記第２の上限値を上回っている場合は，通常では考えられない高電流値が検出されたことに相当し，従って前記制御部１０は電流値の異常ではなく前記電流センサ９に異常があると判断する。また，前記制御部１０は，センサの異常を報知する所定の警告音を出力する制御を行う。
【００１４】
尚，当該電気掃除機Ａは，前記記憶部１５に記憶されている前記異常履歴情報を前記表示部１３より表示（出力）することが可能である。そのような表示処理は，前記制御部１０によりなされる。図４は前記異常履歴情報の出力時の処理を表すフローチャートであり，以下，図４を参照しつつ前記異常履歴情報の出力処理について説明する。尚，図４に示されるＳ１０１，Ｓ１０２は処理の番号であり，図３におけるステップＳ１１の一部であると考えられる。
ステップＳ１０１では，前記制御部１０により前記データ入出力部１６から所定のデータ出力要求信号が入力されたか否かが判別される。入力したと判別された場合には（Ｓ１０１ＹＥＳ）ステップＳ１０２に進む一方，入力されていないと判別された場合には（Ｓ１０１ＮＯ）当該出力処理を抜けて別の処理に移る（エンド）。尚，前記データ入出力部１６は前記手元スイッチ５に接続されており，前記手元スイッチ５から所定の履歴出力要求操作がなされた場合，若しくは前記データ入出力部１６に接続された外部機器からのデータ出力要求があった場合等に，前記データ出力要求信号を前記制御部１０に入力する。
ステップＳ１０２では，前記記憶部１５（異常履歴情報記憶手段の一例）により記憶されている前記異常履歴情報が前記制御部１０により読み取られる。また，その読み取り情報は前記表示部１３に表示（出力の一例）される。若しくは，前記データ入出力部１６に接続された外部機器に対して前記読み取り情報を表す所定の信号を出力しても良い。前記制御部１０，前記表示部１３，前記データ入出力部１６が記憶情報出力手段の一例である。
尚，本発明に係る電気掃除機は，このような記憶情報出力手段を有するものである必要はなく，前記記憶部１５（異常履歴情報記憶手段の一例）を着脱可能としておき，外部機器に前記記憶部１５を接続して前記記憶部１５の記憶情報を読み取る場合も考えられる。
【実施例】
【００１５】
記憶部１５の記憶情報（異常履歴情報）は，電動通風機７の疲労状態と深く関わるものである。従って，前記記憶部１５による記憶情報を用いれば前記電動通風機７の疲労状態（予測寿命等）の推定が可能であり，そのような疲労状態推定機能，該疲労状態推定機能による推定結果を出力する出力機能を有する以下のような実施例も考えられる。
図２は，上述のような予測寿命（疲労状態の一例）推定機能を有する，本発明の実施例に係る電気掃除機の主要部のブロック図である。また，図６は当該電気掃除機による予測寿命の算出方法を説明する概念図である。以下，図２，図６を参照しつつ，前記予測寿命推定機能について説明する。
当該電気掃除機では，制御部１０に現在時刻を計時するタイマ１７が接続されている。前記制御部１０は，当該電気掃除機の初回起動時に，前記タイマ１７による計時情報，つまり初回起動時の時刻（日単位で構わない）を記憶部１５に記憶する。
前記制御部１０は，前記記憶部１５に記憶されている前記異常履歴情報にもとづいて，定期的若しくは当該電気掃除機の起動時などに，現在までに前記電動通風機７に蓄積されたと予測される，以下の式（１）のようなダメージ値Ｄを計算する。尚，以下の式（１）におけるＮtは温度異常状態が生じた回数。Ｔ0は前記設定温度，Ｔmaxは温度の最高値，Ｎwは通風量異常状態が生じた回数，Ｗlは設定通風量範囲の下限値，Ｗhは設定通風量範囲の上限値，Ｗmaxは通風量の最高値，Ｗminは通風量の最低値，Ｎcは電流値異常状態が生じた回数，Ｃlは設定電流値範囲の下限値，Ｃhは設定電流値範囲の上限値，Ｃminは電流値の最低値，Ｃmaxは電流値の最高値，α，β，γはそれぞれ適宜設定される重み付け定数である。
Ｄ＝α（Ｔmax―Ｔ0）Ｎt＋β｛（Ｗmax―Ｗmin）―（Ｗh―Ｗl）｝Ｎw
＋γ｛（Ｃmax―Ｃmin）―（Ｃh―Ｃl）｝Ｎc  …（１）
尚，例えば前記通風量が前記設定通風範囲の下限値を下回った履歴がなく，前記通風量の最低値が記憶されていない場合等には，Ｗmin＝Ｗl等として式（１）の計算が実行される。他も同様である。
【００１６】
また，前記記憶部１５には，前記電動通風機７の耐久性を表す耐久値Ｄmaxが予め出荷時などに記憶されている。上述の式（１）により計算されたダメージ値Ｄが前記耐久値Ｄmaxにまで蓄積されたときが，前記電動通風機７の予測寿命であるとされる。
即ち，前記制御部１０は，上述の式（１）により前記ダメージ値Ｄが計算される度に，前記タイマ１７の計時情報（日単位）を参照し，前記記憶部１５に記憶されている初回起動時の時刻との差（つまり，初回起動時から経過した時間，以下，経過時間）を計算する。
また，前記制御部１０は，前記ダメージ値Ｄと前記経過時間から，単位時間（例えば，一日）当たりのダメージ蓄積量を計算する。更に，今後もそのようなダメージ蓄積量に基づくペースで前記ダメージ値Ｄの蓄積が生じるものと仮定して，前記ダメージ値Ｄが前記耐久値Ｄmaxに到達するであろう前記経過時間を予測する。このように得られた経過時間が，前記電動通風機７の予測寿命である。前記制御部１０，前記タイマ１７が疲労状態推定手段の一例である。
尚，手元スイッチ６からの所定の操作入力を検知した場合，前記制御部１０は表示部１３より，上述のように得られた予測寿命（疲労状態推定手段による推定結果）を表示させるものとする。前記制御部１０及び表示部１３が推定結果出力手段の一例である。
これにより，現在の前記電動通風機７のダメージ値及び予測寿命が自動で診断され，例えばメンテナンスを行うべき時期などの把握が容易になる。
【００１７】
上述の実施形態において，異常状態の検出には電流センサ９，温度センサ１１，通風量センサ１２が用いられたが，これらのうちのいずれか一つを用いる場合も本発明の範囲内である。
また，上述の実施形態において，極大温度，極大電流値，極大通風量のうちの最高値が異常履歴情報として記憶される例について開示したが，異常状態の発生回数だけを前記異常履歴情報として記憶する場合も考えられる。
更に，前記異常履歴情報として，例えば前記電流値が前記設定電流値範囲の上限値を上回る電流値異常状態が発生する毎に，前記極大電流値を該電流値異常状態の発生時刻に対応付けられた極大電流値変化情報を記憶する例も考えられる。また極小電流値についても同様である。更に，極大通風量，極小通風量，極大温度等についても同様である。
このような履歴を記憶することにより，過去に生じた異常の推移の推定及び今後の推移の推定が可能となるであろう。また，異常状態の発生時刻がある特定の時刻に集中している場合には，制御部１０により，その特定の時刻においては電動通風機７に対する強い通風量での稼働制御が禁止されるような用い方も可能である。
【図面の簡単な説明】
【００１８】
【図１】本発明の実施形態に係る電気掃除機の概略図。
【図２】本発明の実施形態に係る電気掃除機の主要部のブロック図。
【図３】本発明の実施形態に係る電気掃除機の制御部による異常状態の履歴記憶処理を表すフローチャート。
【図４】本発明の実施形態に係る電気掃除機の制御部による履歴の出力処理を表すフローチャート。
【図５】本発明の実施例に係る電気掃除機の主要部のブロック図。
【図６】本発明の実施例に係る電気掃除機による予測寿命の算出方法を説明するグラフ。
【符号の説明】
【００１９】
Ａ…本発明の実施形態に係る電気掃除機
１…本体部
２…ホース
３…吸込口部
４…手元スイッチ部
５…手元スイッチ
６…延長管
７…電動通風機
８…駆動回路
９…電流センサ
１０…制御部
１１…温度センサ
１２…通風量センサ
１３…表示部
１４…電源
１５…記憶部
１６…データ入出力部
１７…タイマ
【図１】
2006255112.tif 000003
【図２】
2006255112.tif 000004
【図３】
2006255112.tif 000005
【図４】
2006255112.tif 000006
【図５】
2006255112.tif 000007
【図６】
2006255112.tif 000008